(57)【要約】【課題】装置本体に組み付けられているリールスタンド上のシートを使い切って、シートを補充する際の作業時間を短縮して、装置の稼働率を高めることのできるシート切断装置を提供すること。【解決手段】装置本体７のスタンド取付部７１に着脱可能なリールスタンド６は、シート用リール４を支持する第１リール支持部６３と、離型紙用リール５を支持する第２リール支持部６４と、シート用リール４から引き出したシート１１０の先端を装置本体７のシート送り機構７２に渡すシート先端支持部材６５と、を備え、スタンド取付部７１とリールスタンド６との間には、リールスタンド６をスタンド取付部７１に取り付ける際に、簡単に且つ正確にリールスタンド６を位置決めすることができてリールスタンド６の交換を容易にするスタンド位置決め機構を備える。【選択図】図４
2015024874.tif 000002
【特許請求の範囲】
【請求項１】
片面の一側縁に沿って粘着層が形成されると共に前記粘着層には離型紙が貼付された帯状のシートを巻回したシート用リールと、
前記シートから剥離した前記離型紙を巻き取るための離型紙用リールと、
前記シート用リールを回転可能に支持する第１リール支持部と、前記離型紙用リールを回転可能に支持する第２リール支持部と、を有するリールスタンドと、
前記リールスタンドを着脱可能なスタンド取付部と、該スタンド取付部に取り付けられた前記リールスタンド上の前記シート用リールから前記シートを繰り出すシート送り機構と、前記シート送り機構により繰り出される前記シートを所定の長さに切断するシート切断機構と、前記シート送り機構によって送り出された前記シート上の前記離型紙が前記離型紙用リールに逐次巻き取られるように前記シート送り機構に連動して前記リールスタンド上の前記離型紙用リールを回転駆動する離型紙リール駆動軸と、を具備した装置本体と、
を備えるシート切断装置であって、
前記リールスタンドは、前記第１リール支持部に取り付けられた前記シート用リールに巻回されている前記シートの先端を支持すると共に前記リールスタンドを前記スタンド取付部に取り付けた際に支持している前記シートの先端を前記シート送り機構に渡すシート先端支持部材を備え、
前記スタンド取付部と前記リールスタンドとの間には、前記リールスタンドを前記スタンド取付部に取り付ける際に、簡単に且つ正確に前記リールスタンドを位置決めすることができて前記リールスタンドの交換を容易にするスタンド位置決め機構を備えたことを特徴とするシート切断装置。
【請求項２】
前記スタンド位置決め機構は、前記リールスタンドの底部に架設された２本の位置決め用ロッドと、前記スタンド取付部に突設されて前記リールスタンドを前記スタンド取付部に載せたときに前記２本の位置決め用ロッドが形成する隙間の片側に嵌合する略直方体状の位置決め用ブロックと、
前記シート送り機構に設けられた位置決めピンと、前記シート先端支持部材に設けられた位置決め穴と、
を備え
２本の前記位置決め用ロッド間への前記位置決め用ブロックの嵌合、及び前記位置決めピンと前記位置決め穴との嵌合によって、前記リールスタンドを位置決めすることを特徴とする請求項１に記載のシート切断装置。
【請求項３】
前記シート送り機構は、前記シートの片面に当接した状態で回転駆動されることで前記シートを送り出す送りローラと、前記シートの片面に当接して前記シートの走行に追従して回転する測長用ローラと、を備え、
前記測長用ローラの回転量から前記シートの繰り出し長が検知されることを特徴とする請求項１又は２に記載のシート切断装置。
【請求項４】
前記第２リール支持部は、前記離型紙用リールの中心を挿通して前記離型紙用リールと一体に回転する第２リール支持軸と、該第２リール支持軸の一端を回転自在に支持する軸受け部と、前記軸受け部に支持された前記第２リール支持軸の自由端を待機位置と該待機位置から軸方向に規定長だけ離間した結合位置とに位置切り替え可能にする軸移動機構と、を備え、
前記装置本体の前記スタンド取付部には、前記スタンド取付部に取り付けられた前記リールスタンド上の前記第２リール支持軸が前記結合位置に移動したときに前記第２リール支持軸の自由端と結合状態となって、前記第２リール支持軸を回転駆動可能な離型紙リール駆動軸を備え、
前記離型紙リール駆動軸は、前記送りローラと連動して駆動される、
ことを特徴とする請求項３に記載のシート切断装置。
【請求項５】
前記離型紙リール駆動軸を駆動する機構には、前記離型紙リール駆動軸の駆動トルクを規定値以内に制限するトルクリミッターが備えられていて、駆動トルクが既定値を超えないように前記離型紙リール駆動軸の回転速度が制御されることを特徴とする請求項４に記載のシート切断装置。
【請求項６】
前記シート切断機構は、前記シート送り機構から送り出される前記シートの表面と直交する方向に進退可能に前記シート送り機構の下流側に配置されたカッター刃と、前記測長用ローラの回転量に基づいて前記カッター刃を前記シートの走行位置に進退させるクランク機構と、を備えることを特徴とする請求項３〜５の何れか一項に記載のシート切断装置。
【請求項７】
前記リールスタンドは、前記シート先端支持部材に支持されている前記シートの先端から剥がして前記離型紙用リールに固定された前記離型紙の前記離型紙用リールに至る経路を規制する離型紙経路設定部材、を備え、
前記装置本体の前記スタンド取付部には、前記スタンド取付部に取り付けられた前記リールスタンド上で前記離型紙用リールに巻き取られる前記離型紙の経路に光を照射して、照射した光の反射の有無により離型紙切れを検知する離型紙切れ検知確認センサを備えたことを特徴とする請求項１〜６の何れか一項に記載のシート切断装置。
【発明の詳細な説明】
【技術分野】
【０００１】
本発明は、片面の一側縁に沿って粘着層が形成されると共に前記粘着層には離型紙が貼付された帯状のシートを所定の長さで切断するシート切断装置に関する。
【背景技術】
【０００２】
図１７は、車両に搭載するワイヤハーネスの結束に使用されるシート１１０を示している。このシート１１０は、所定の幅Ｗの長尺に形成されたシート本体１１１と、該シート本体１１１の片面の一側縁に沿って所定の幅の帯状に形成される粘着層１１２と、粘着層１１２の上に貼付された離型紙１１３と、を備えている。シート本体１１１には、例えば、ビニール製のシートが使用される。
【０００３】
図１８は、図１７に示したシート１１０によって、ワイヤハーネス１２０を結束した状態を示している。シート１１０は、離型紙１１３を剥離させて露出した粘着層１１２によってシート１１０の両側縁を貼り合わせることで、ワイヤハーネス１２０を収容して保持する筒状構造に形成される。
【０００４】
図１９は、図１７に示したシート１１０を所定の長さで切断するような用途で使用されるシート切断装置２００を示している。
このシート切断装置２００は、下記特許文献１に開示された装置で、シート用リール２１０と、離型紙用リール２２０と、リールスタンド２３０と、シート送り機構２４０と、シート切断機構２５０と、を備える。
【０００５】
シート用リール２１０は、片面に離型紙が貼付されている帯状のシート２６０を巻回したリールである。シート２６０は、図１７に示したシート１１０と同様の構造でよい。
【０００６】
離型紙用リール２２０は、シート２６０から剥離された離型紙を巻き取るリールである。
【０００７】
リールスタンド２３０は、シート用リール２１０を回転可能に支持する第１リール支持部２３１と、離型紙用リール２２０を回転可能に支持する第２リール支持部２３２と、を有している。
【０００８】
シート送り機構２４０は、シート用リール２１０からシート繰り出し口２７０に至るシート走行経路に臨んで配置されたローラ２４１，２４２によって、シート２６０を一定速度で送り出す。
【０００９】
シート切断機構２５０は、シート送り機構２４０により繰り出されるシート２６０を所定の長さで切断する。
【先行技術文献】
【特許文献】
【００１０】
【特許文献１】特開２０１０−０１３２１６号公報
【発明の概要】
【発明が解決しようとする課題】
【００１１】
ところで、特許文献１のシート切断装置２００の場合、リールスタンド２３０上のシート２６０を使い切った場合には、シート切断装置２００の運転を停止させて、空になったシート用リール２１０をリールスタンド２３０の第１リール支持部２３１から取り外して、シート２６０が装填済のシート用リール２１０をシート用リール２１０に再装着する。
【００１２】
また、シート用リール２１０を交換したときには、新たに第１リール支持部２３１に装着したシート用リール２１０から引き出したシート２６０の先端部から離型紙を剥がし、剥がした剥離紙を離型紙用リール２２０まで導いて離型紙用リール２２０固定する剥離紙誘導作業も必要になる。
【００１３】
ところが、剥離紙誘導作業は手間のかかる作業で、シート用リール２１０の交換に引き続いて、剥離紙誘導作業を実施すると、作業時間が長引いて、その間、シート切断装置２００の運転が停止されたままになるため、装置の稼働率が低下するという問題が生じた。
【００１４】
そこで、本発明の目的は、上記課題を解消することに係り、装置本体に組み付けられているリールスタンド上のシートを使い切って、シートを補充する際の作業時間を短縮して、装置の稼働率を高めることのできるシート切断装置を提供することにある。
【課題を解決するための手段】
【００１５】
本発明の前述した目的は、下記の構成により達成される。
（１）  片面の一側縁に沿って粘着層が形成されると共に前記粘着層には離型紙が貼付された帯状のシートを巻回したシート用リールと、
前記シートから剥離した前記離型紙を巻き取るための離型紙用リールと、
前記シート用リールを回転可能に支持する第１リール支持部と、前記離型紙用リールを回転可能に支持する第２リール支持部と、を有するリールスタンドと、
前記リールスタンドを着脱可能なスタンド取付部と、該スタンド取付部に取り付けられた前記リールスタンド上の前記シート用リールから前記シートを繰り出すシート送り機構と、前記シート送り機構により繰り出される前記シートを所定の長さに切断するシート切断機構と、前記シート送り機構によって送り出された前記シート上の前記離型紙が前記離型紙用リールに逐次巻き取られるように前記シート送り機構に連動して前記リールスタンド上の前記離型紙用リールを回転駆動する離型紙リール駆動軸と、を具備した装置本体と、
を備えるシート切断装置であって、
前記リールスタンドは、前記第１リール支持部に取り付けられた前記シート用リールに巻回されている前記シートの先端を支持すると共に前記リールスタンドを前記スタンド取付部に取り付けた際に支持している前記シートの先端を前記シート送り機構に渡すシート先端支持部材を備え、
前記スタンド取付部と前記リールスタンドとの間には、前記リールスタンドを前記スタンド取付部に取り付ける際に、簡単に且つ正確に前記リールスタンドを位置決めすることができて前記リールスタンドの交換を容易にするスタンド位置決め機構を備えたことを特徴とするシート切断装置。
【００１６】
（２）  前記スタンド位置決め機構は、前記リールスタンドの底部に架設された２本の位置決め用ロッドと、前記スタンド取付部に突設されて前記リールスタンドを前記スタンド取付部に載せたときに前記２本の位置決め用ロッドが形成する隙間の片側に嵌合する略直方体状の位置決め用ブロックと、
前記シート送り機構に設けられた位置決めピンと、前記シート先端支持部材に設けられた位置決め穴と、
を備え
２本の前記位置決め用ロッド間への前記位置決め用ブロックの嵌合、及び前記位置決めピンと前記位置決め穴との嵌合によって、前記リールスタンドを位置決めすることを特徴とする上記（１）に記載のシート切断装置。
【００１７】
（３）  前記シート送り機構は、前記シートの片面に当接した状態で回転駆動されることで前記シートを送り出す送りローラと、前記シートの片面に当接して前記シートの走行に追従して回転する測長用ローラと、を備え、
前記測長用ローラの回転量から前記シートの繰り出し長が検知されることを特徴とする上記（１）又は（２）に記載のシート切断装置。
【００１８】
（４）  前記第２リール支持部は、前記離型紙用リールの中心を挿通して前記離型紙用リールと一体に回転する第２リール支持軸と、該第２リール支持軸の一端を回転自在に支持する軸受け部と、前記軸受け部に支持された前記第２リール支持軸の自由端を待機位置と該待機位置から軸方向に規定長だけ離間した結合位置とに位置切り替え可能にする軸移動機構と、を備え、
前記装置本体の前記スタンド取付部には、前記スタンド取付部に取り付けられた前記リールスタンド上の前記第２リール支持軸が前記結合位置に移動したときに前記第２リール支持軸の自由端と結合状態となって、前記第２リール支持軸を回転駆動可能な離型紙リール駆動軸を備え、
前記離型紙リール駆動軸は、前記送りローラと連動して駆動される、
ことを特徴とする上記（３）に記載のシート切断装置。
【００１９】
（５）  前記離型紙リール駆動軸を駆動する機構には、前記離型紙リール駆動軸の駆動トルクを規定値以内に制限するトルクリミッターが備えられていて、駆動トルクが既定値を超えないように前記離型紙リール駆動軸の回転速度が制御されることを特徴とする上記（４）に記載のシート切断装置。
【００２０】
（６）  前記シート切断機構は、前記シート送り機構から送り出される前記シートの表面と直交する方向に進退可能に前記シート送り機構の下流側に配置されたカッター刃と、前記測長用ローラの回転量に基づいて前記カッター刃を前記シートの走行位置に進退させるクランク機構と、を備えることを特徴とする上記（３）〜（５）の何れかに記載のシート切断装置。
【００２１】
（７）  前記リールスタンドは、前記シート先端支持部材に支持されている前記シートの先端から剥がして前記離型紙用リールに固定された前記離型紙の前記離型紙用リールに至る経路を規制する離型紙経路設定部材、を備え、
前記装置本体の前記スタンド取付部には、前記スタンド取付部に取り付けられた前記リールスタンド上で前記離型紙用リールに巻き取られる前記離型紙の経路に光を照射して、照射した光の反射の有無により離型紙切れを検知する離型紙切れ検知確認センサを備えたことを特徴とする上記（１）〜（６）の何れかに記載のシート切断装置。
【００２２】
上記（１）の構成によれば、リールスタンドは、装置本体のスタンド取付部に取り付けた際には、当該リールスタンドにセットされているシート用リールから引き出されたシートの先端が、シート先端支持部材によって、装置本体側のシート送り機構に渡される。そのため、リールスタンドを装置本体のスタンド取付部に取り付けると、直ぐに、シートを所定の長さずつ繰り出して切断する作業が可能になる。また、リールスタンドは、シート送り機構が繰り出すシートの先端から剥がした離型紙を巻き取る離型紙用リールを備えている。そしてリールスタンドに装備されている離型紙用リールは、リールスタンドを装置本体のスタンド取付部に取り付けると、装置本体の離型紙リール駆動軸により駆動可能になり、シート送り機構によるシートの繰り出し処理に連動して離型紙の巻き取りが可能になる。
【００２３】
即ち、上記（１）の構成によれば、リールスタンドを装置本体のスタンド取付部に取り付けると、直ちに、リールスタンド上のシート用リールからシートを繰り出して所定長に切断する作業や、シートから剥がした離型紙を離型紙用リールに巻き取る作業が可能になる。
【００２４】
また、スタンド取付部とリールスタンドとの間には、リールスタンドをスタンド取付部に取り付ける際に、簡単に且つ正確にリールスタンドを位置決めすることができてリールスタンドの交換を容易にするスタンド位置決め機構が備えられている。
【００２５】
従って、上記（１）の構成のシート切断装置では、予め、シートを巻回したシート用リールが組み付けられると共に、シート用リールから引き出したシートの先端から剥がした離型紙を離型紙用リールに固定した予備のリールスタンドを用意しておき、リールスタンド上のシートを使い切った場合には、シート切断装置の運転を停止させて、リールスタンドごと予備のリールスタンドと交換すると、交換時に手間のかかる剥離紙誘導作業が不要で、直ちに、シート切断装置の運転再開が可能になる。
【００２６】
従って、シートを補充する際の作業時間を短縮して、装置の稼働率を高めることができる。
【００２７】
上記（２）の構成によれば、スタンド位置決め機構は、リールスタンドの底部の２本の位置決め用ロッドと、スタンド取付部に突設される略直方体状の位置決め用ブロックと、シート送り機構に設けられた位置決めピンと、シート先端支持部材に設けられた位置決め穴と、で構成される単純な構成である。そして、位置決め用ブロックと２本の位置決め用ロッドとの嵌合精度、及び位置決めピンと位置決め穴との嵌合精度を高めることで、リールスタンドの位置決め精度を向上させることができる。従って、リールスタンドの高精度な位置決めを、安価に実現することができる。
【００２８】
上記（３）の構成によれば、シートの繰り出し動作の際に、測長用ローラの回転量と測長用ローラの周長とを積算する単純な演算処理で、シートの繰り出し長を正確に検知することができ、シートを所定の長さに切断する処理の信頼性を向上させることができる。
【００２９】
上記（４）の構成によれば、リールスタンドをスタンド取付部に取り付ける際には、リールスタンドの軸移動機構によって、第２リール支持軸の自由端を待機位置に位置させておくことで、取り付け時に第２リール支持軸の自由端が装置本体の離型紙リール駆動軸に干渉することがなく、安全にリールスタンドをスタンド取付部に取り付けることができる。そして、リールスタンドをスタンド取付部に取り付けた後、リールスタンドの軸移動機構によって、第２リール支持軸の自由端を結合位置に移動させると、第２リール支持軸が離型紙リール駆動軸に結合されて、シートの繰り出し動作に連動する離型紙の巻き取り動作が可能になる。
【００３０】
即ち、リールスタンドをスタンド取付部に取り付けた際に、軸移動機構によって、第２リール支持軸の自由端を待機位置から結合位置に切り替えるという簡単な操作を行うだけで、離型紙用リールによる離型紙の巻き取りが可能になり、リールスタンドをスタンド取付部に取り付けた際に必要な操作が簡便で済み、装置の運転再開を早めることができる。
【００３１】
上記（５）の構成によれば、離型紙用リールにおける離型紙の巻き径の増大に伴って、離型紙用リールの一回転当たりの離型紙の巻き取り長が増大する。そのため、離型紙用リールを単純に一定回転速度で回転駆動していると、離型紙の巻き径の増大に伴って巻き取り量が増大して、離型紙が過大な張力で破断したり、剥離紙の無理な引っ張りによってシートの送り出しに支障が生じるおそれがある。しかし、上記（５）の構成によれば、駆動トルクが既定値を超えないように、離型紙リール駆動軸の回転速度がトルクリミッターによって制御されるため、離型紙の巻き径が増大しても、離型紙の破断やシートの送り出しに支障が生じることを防止することができ、シートの繰り出し動作や離型紙の巻き取り動作の信頼性を向上させることができる。
【００３２】
上記（６）の構成によれば、シートの繰り出し長が所定の長さに達する度に、カッター刃をシートの走行位置に進出させて、シートを所定の長さに切断することができる。
【００３３】
上記（７）の構成によれば、リールスタンド上の離型紙用リールに巻き取られる離型紙は、離型紙経路設定部材によって離型紙用リールに至る経路が設定されている。そのため、離型紙経路設定部材によって設定されている経路に光を照射すると、離型紙が経路に残っている場合には、照射した光が所定位置に反射される。従って、反射光の有無によって、離型紙の切れを確実に検知することができる。
【発明の効果】
【００３４】
本発明によるシート切断装置によれば、装置本体に組み付けられているリールスタンド上のシートを使い切って、シートを補充する際の作業時間を短縮して、装置の稼働率を高めることができる。
【００３５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３６】
【図１】図１は本発明に係るシート切断装置の一実施形態の組立状態の斜視図である。
【図２】図２は図１に示したシート切断装置のシート送り機構の上を覆う蓋部を開いた状態の斜視図である。
【図３】図３は図２のＢ矢視図である。
【図４】図４は図１に示したシート切断装置上のリールスタンドを交換する方法を示す斜視図である。
【図５】図５は一実施形態のシート切断装置において、リールスタンドのシート用リールのシートを使い切った状態を示す斜視図である。
【図６】図６はシートを使い切ったリールスタンドを装置本体から取り外すために、シート送り機構の上を覆う蓋部を開いた状態にしたシート切断装置の斜視図である。
【図７】図７は図６のＣ矢視図である。
【図８】図８はシートを使い切って装置本体から取り外されたリールスタンドの斜視図である。
【図９】図９は図８のＤ矢視図である。
【図１０】図１０はリールスタンドに装備されている第２リール支持部の概略構成を示す拡大図であり、図１０（ａ）は駆動力が切断された状態、図１０（ｂ）は駆動力が接続された状態を表す。
【図１１】図１１はシート用リールにシートが補充されている予備のリールスタンドの斜視図である。
【図１２】図１２は図１１のＥ矢視図である。
【図１３】図１３は予備のリールスタンドを装着するために、シート送り機構の上を覆う蓋部を開いた状態にした装置本体の斜視図である。
【図１４】図１４は図１３に示した装置本体のシート送り機構におけるシート載置面の構造の説明図である。
【図１５】図１５は図１３に示した装置本体の前面側に装備されているシート切断機構の説明図である。
【図１６】図１６は一実施形態のシート切断装置におけるシート及び離型紙の走行経路を示す概略図である。
【図１７】図１７は所定の長さに切断されるシートの構成の説明図である。
【図１８】図１８切断したシートがワイヤハーネスを束ねている状態の説明図である。
【図１９】図１９は従来のシート切断装置の概略構成図である。
【発明を実施するための形態】
【００３７】
以下、本発明に係るシート切断装置の好適な実施形態について、図面を参照して詳細に説明する。
【００３８】
図１〜図１６は本発明に係るシート切断装置の一実施形態を示したもので、図１は本発明の一実施形態のシート切断装置の組立状態の斜視図、図２は図１に示したシート切断装置のシート送り機構の上を覆う蓋部を開いた状態の斜視図、図３は図２のＢ矢視図、図４は図１に示したシート切断装置上のリールスタンドを交換する方法を示す斜視図、図５は一実施形態のシート切断装置において、リールスタンドのシート用リールのシートを使い切った状態を示す斜視図、図６はシートを使い切ったリールスタンドを装置本体から取り外すために、シート送り機構の上を覆う蓋部を開いた状態にしたシート切断装置の斜視図、図７は図６のＣ矢視図、図８はシートを使い切って装置本体から取り外されたリールスタンドの斜視図、図９は図８のＤ矢視図、図１０はリールスタンドに装備されている第２リール支持部の概略構成を示す拡大図、図１１はシート用リールにシートが補充されている予備のリールスタンドの斜視図、図１２は図１１のＥ矢視図、図１３は予備のリールスタンドを装着するために、シート送り機構の上を覆う蓋部を開いた状態にした装置本体の斜視図、図１４は図１３に示した装置本体のシート送り機構におけるシート載置面の構造の説明図、図１５は図１３に示した装置本体の前面側に装備されているシート切断機構の説明図、図１６は一実施形態のシート切断装置におけるシート及び離型紙の走行経路を示す概略図である。
【００３９】
この一実施形態のシート切断装置１は、図１７に示したシート１１０を所定の長さに切断する装置である。
【００４０】
シート１１０は、図１７に示すように、ビニール製のシート本体１１１の片面の一側縁に沿って粘着層１１２が形成されると共に、粘着層１１２には離型紙１１３が貼付された帯状のシートである。
【００４１】
本実施形態のシート切断装置１は、図１〜図４に示すように、シート用リール４と、離型紙用リール５と、リールスタンド６と、装置本体７と、を備える。また、リールスタンド６は、予備の分も用意される。
【００４２】
シート用リール４は、図４に示すように、リール軸４１と、該リール軸４１の両端に接続された一対のフランジ４２と、後述するリールスタンド６に支持される一対のスタンド取付部４３と、を備えている。シート用リール４は、図１に示すように、リール軸４１の外周に、長尺のシート１１０が巻回される。
【００４３】
一対のスタンド取付部４３は、一対のフランジ４２の外面側に、リール軸４１と同軸に装備されている。一対のスタンド取付部４３は、リール軸４１を回転自在に支持している。一対のスタンド取付部４３は、その角形の軸部４３ａを、後述のリールスタンド６の一対の側壁部６１，６２に装備された第１リール支持部６３に係合させることで、一対の側壁部６１，６２に回転不可に結合される。本実施形態の場合、第１リール支持部６３は、上方に開放した切り欠き孔で、上方から軸部４３ａを割り込ませることで、シート用リール４を支持する。本実施形態の場合、第１リール支持部６３は、一対のスタンド取付部４３を介して、リール軸４１を回転自在に支持している。
【００４４】
本実施形態の場合、リール軸４１は、図７に示すように、長手方向に適宜間隔を開けて、複数のフランジ取付孔４１ａを有している。これらのフランジ取付孔４１ａは、フランジ４２をリール軸４１に結合するための孔で、使用するフランジ取付孔４１ａを変更することで、一対のフランジ４２の間隔を調整することができる。一対のフランジ４２の間隔は、リール軸４１に巻回させるシート１１０の幅に合うように、調整することができる。
【００４５】
離型紙用リール５は、シート１１０から剥離させた離型紙１１３を巻き取るためのリールである。離型紙用リール５は、図４に示すように、シート１１０上の離型紙１１３の位置と対応するように、後述するリールスタンド６の片側の側壁部６２に回転自在に取り付けられる。
【００４６】
リールスタンド６は、図４及び図８及び図９に示すように、シート用リール４のリール軸４１の軸方向に対向して配置された一対の側壁部６１，６２と、シート用リール４を回転可能に支持する第１リール支持部６３と、離型紙用リール５を回転可能に支持する第２リール支持部６４と、シート先端支持部材６５と、一対の側壁部６１，６２の底部（下部）を結合している２本の位置決め用ロッド６６ａ，６６ｂと、一対の側壁部６１，６２の高さ方向の中間部を結合している一対の連結用ロッド６７ａ，６７ｂと、複数の離型紙経路設定部材６８ａと、を備えている。
【００４７】
本実施形態の場合、一対の側壁部６１，６２は、図４に示すように、一対の側壁部６１，６２の底部（下部）を相互結合する２本の位置決め用ロッド６６ａ，６６ｂと、一対の側壁部６１，６２の高さ方向の中間部を相互結合する一対の連結用ロッド６７ａ，６７ｂとで、所定の間隔に結合されている。
【００４８】
また、一対の側壁部６１，６２には、図９に示すように、当該リールスタンド６を搬送するときの把持部となる取っ手６１１が固定装備されている。
【００４９】
第１リール支持部６３は、本実施形態の場合、前述したように、シート用リール４のスタンド取付部４３の軸部４３ａが係合する切り欠き孔で、一対のスタンド取付部４３を介して、リール軸４１を回転自在に支持している。
【００５０】
第２リール支持部６４は、図４及び図９に示すように、リールスタンド６の片側の側壁部６２に装備されている。
【００５１】
本実施形態における第２リール支持部６４は、図１０に示すように、離型紙用リール５の中心を挿通して離型紙用リール５と一体に回転する第２リール支持軸６４１と、該第２リール支持軸６４１の一端を回転自在に支持する軸受け部６４２と、軸受け部６４２に支持された第２リール支持軸６４１を軸方向（図１０（ｂ）の矢印Ａ１方向）に移動させる軸移動機構６４３と、を備えている。
【００５２】
軸移動機構６４３は、図１０に示すように、側壁部６２に突設されたリブ６４３ａと、第２リール支持軸６４１の外周に突設されてリブ６４３ａに当接可能な係止突起６４３ｂと、第２リール支持軸６４１を側壁部６２の内側（図１０（ｂ）の矢印Ａ１の示す側）に移動するように付勢するばね６４３ｃと、リブ６４３ａ間の谷間６４３ｄと、を備えている。
【００５３】
図１０（ａ）に示すように、係止突起６４３ｂがリブ６４３ａに当接している状態では、軸受け部６４２に支持された第２リール支持軸６４１の自由端６４１ａは、待機位置Ｐ１に位置している。
【００５４】
係止突起６４３ｂは、図１０（ｂ）に矢印Ｍ１で示すように、第２リール支持軸６４１を軸回りに所定角度回転させると、リブ６４３ａから外れて、リブ６４３ａ間に装備されている谷間６４３ｄに没入可能になる。係止突起６４３ｂがリブ６４３ａから外れると、第２リール支持軸６４１は、図１０（ｂ）に示すように、ばね６４３ｃの付勢力で、側壁部６２の内側に向かって移動し、第２リール支持軸６４１の自由端６４１ａは、結合位置Ｐ２に移動する。結合位置Ｐ２は、待機位置Ｐ１から軸方向に規定長だけ離間した位置で、後述する装置本体７の離型紙リール駆動軸７５と結合状態になる位置である。
【００５５】
以上に説明した軸移動機構６４３は、言い換えると、軸受け部６４２に支持された第２リール支持軸６４１の自由端６４１ａを、待機位置Ｐ１と該待機位置Ｐ１から軸方向に規定長だけ離間した結合位置Ｐ２とに、位置切り替え可能にしている。
【００５６】
シート先端支持部材６５は、図４及び図９に示すように、リールスタンド６の片側の側壁部６２からシート１１０の繰り出し方向（図９の矢印Ａ３方向）に張り出した梁部６５１と、この梁部６５１の基端側からシート１１０の幅方向に張り出した第１シート位置規制部６５２と、梁部６５１の先端からシート１１０の幅方向に張り出した先端支持部６５３と、梁部６５１の中間部からシート１１０の幅方向に張り出した第２シート位置規制部６５４と、を備えている。先端支持部６５３は、図４に示すように、リールスタンド６に取り付けられたシート用リール４から引き出されたシート１１０の先端を、上下一対の規制部材６５３ａ，６５３ｂによって保持する。
【００５７】
本実施形態のシート先端支持部材６５は、リールスタンド６の第１リール支持部６３に取り付けられたシート用リール４に巻回されている前記シート１１０の先端側を、第１シート位置規制部６５２と、第２シート位置規制部６５４と、先端支持部６５３と、で、水平に延在させた状態に支持する。
【００５８】
シート先端支持部材６５によって水平に延在させた状態に支持されたシート１１０の先端部は、リールスタンド６を装置本体７に取り付けた際に、装置本体７のシート送り機構７２の上に載って、シート送り機構７２に接触し、シート送り機構７２によるシート１１０の繰り出しが可能になる。即ち、シート先端支持部材６５は、支持しているシート１１０の先端を、シート送り機構７２に渡す。
【００５９】
本実施形態の場合、図４に示すように、先端支持部６５３の下側の規制部材６５３ｂは、シート１１０の粘着層１１２の出っ張りを逃がす段差部Ｄ６が設けられている。この段差部Ｄ６は、粘着層１１２が接触しないように、窪みの深さが設定されている。
【００６０】
一対の側壁部６１，６２の底部（下部）を結合している２本の位置決め用ロッド６６ａ，６６ｂは、リールスタンド６を装置本体７に組み付けたときに、装置本体７側の位置決め用ブロック７６が嵌合する隙間を形成している。
【００６１】
また、図１３に示すように、シート送り機構７２の側壁７２３の上面には２つの位置決めピン７２４が設けられている。一方、シート先端支持部材６５の下面の、位置決めピン７２４に対応する部分のそれぞれには、位置決めピン７２４と嵌合する位置決め穴６５５（図９、図１２参照）が設けられている。これらの位置決めピン７２４と位置決め穴６５５も位置決め機構の一部を構成する。そして、位置決めピン７２４が位置決め穴６５５に嵌合することで、シート送り機構７２に対するシート先端支持部材６５の位置決めが正確に行われる。
【００６２】
リールスタンド６を装置本体７に位置決めするスタンド位置決め機構は、２本の位置決めロッド６６ａ，６６ｂと、位置決め用ブロック７６と、位置決めピン７２４と、位置決め穴６５５とで、構成されている。
【００６３】
複数の離型紙経路設定部材６８ａは、図４に示すように、側壁部６２に突設されたガイドローラで、図１６に示すように、シート先端支持部材６５に支持されているシート１１０の先端から剥がして離型紙用リール５に固定された離型紙１１３の離型紙用リール５に至る経路を規制する。
【００６４】
装置本体７は、図４及び図１３に示すように、リールスタンド６を着脱可能なスタンド取付部７１と、シート送り機構７２と、シート送り機構７２の上を開閉可能に覆う蓋部７３と、シート切断機構７４と、離型紙リール駆動軸７５（図１０参照）と、を備えている。
【００６５】
スタンド取付部７１は、図１３に示すように、リールスタンド６を載置する水平な載置面７１１と、リールスタンド６に載置されるリールスタンド６を位置決めする位置決め用ブロック７６と、離型紙切れ検知確認センサ７１８と、を備えている。
【００６６】
位置決め用ブロック７６は、前述したリールスタンド６の２本の位置決め用ロッド６６ａ，６６ｂとの協働で、リールスタンド６を位置決め用ブロック７６上に位置決めするスタンド位置決め機構８を構成する。位置決め用ブロック７６は略直方体状のブロックで、２本の位置決め用ロッド６６ａ，６６ｂが形成する隙間の片側６６ｓ（図４参照）に略緊密に嵌合することで、リールスタンド６の２方向の位置決めをして、リールスタンド６を正確に位置決めする。
【００６７】
言い換えると、本実施形態のシート切断装置１は、スタンド取付部７１と前記リールスタンド６との間に、リールスタンド６をスタンド取付部７１に取り付ける際に、簡単に且つ正確にリールスタンド６を位置決めすることができてリールスタンド６の交換を容易にするスタンド位置決め機構８を備えたものである。
【００６８】
離型紙切れ検知確認センサ７１８は、投受光センサを利用したもので、図１６に示すように、スタンド取付部７１に取り付けられたリールスタンド６上で離型紙用リール５に巻き取られる離型紙１１３の経路に光を照射して、照射した光の反射の有無により離型紙切れを検知する。
【００６９】
図１７に示すように、シート１１０上の粘着層１１２及び離型紙１１３は、連続せずに途切れている場合がある。シート１１０の繰り出し中に、このような離型紙１１３の途切れた部分があった場合、シート１１０の繰り出しを停止して、途切れた部分よりも後続の離型紙１１３を、離型紙用リール５に固定する必要がある。このために、離型紙切れ検知確認センサ７１８により離型紙１１３の有無を検知する。
【００７０】
シート送り機構７２は、図１３に示したように、蓋部７３を開くと、その水平な上面部７２ａが露出する。また、図１４に示すように、シート１１０の粘着層１１２と対向する位置には、粘着層１１２が接触してシート１１０の搬送に支障が生じないように、上面部７２ａよりも凹んだ段差部Ｄ７が形成されている。この段差部Ｄ７は、粘着層１１２が接触しないように、窪みの深さが設定されている。また、本実施形態では、蓋部７３を開いた状態で、スタンド取付部７１にリールスタンド６をセットすると、リールスタンド６のシート先端支持部材６５に水平に支持されているシート１１０の下面が、上面部７２ａに載置された状態になる。また、シート１１０の粘着層１１２は、段差部Ｄ７の上に張り出している。その状態で、スタンド取付部４３を閉じると、シート先端支持部材６５に水平に支持されているシート１１０の下面が、上面部７２ａに押し付けられる。
【００７１】
シート送り機構７２の上面部７２ａには、図１３及び図１６に示すように、シート１１０の片面に当接した状態で回転駆動されることでシート１１０を送り出す送りローラ７２１と、シート１１０の片面に当接してシート１１０の走行に追従して回転する測長用ローラ７２２と、を備えている。
【００７２】
蓋部７３には、図１３及び図１６に示すように、送りローラ７２１と対向する位置に配置された押さえローラ７３１と、測長用ローラ７２２と対向する位置に配置された押さえローラ７３２とが備えられている。即ち、蓋部７３は、図１６に示すように、押さえローラ７３１，７３２によってシート１１０を送りローラ７２１及び測長用ローラ７２２に押さえ付けて、各ローラ７２１，７２２とシート１１０との間に滑りが生じることを防止する。
【００７３】
本実施形態のシート送り機構７２は、シート１１０の下面に当接する送りローラ７２１によって、スタンド取付部７１に取り付けられたリールスタンド６上のシート用リール４からシート１１０を繰り出す。
【００７４】
本実施形態のシート切断装置１では、シート送り機構７２に装備された測長用ローラ７２２の回転量からシート１１０の繰り出し長を算出する演算処理部が装備されていて、測長用ローラ７２２の回転量からシート１１０の繰り出し長が検知される。
【００７５】
シート切断機構７４は、シート送り機構７２の下流側で、図１３に示す装置本体７の前面カバー７７の内側に配置されている。本実施形態のシート切断機構７４は、図１５に示すように、カッター刃７４１と、このカッター刃７４１を往復動させるクランク機構７４２と、を備えている。カッター刃７４１は、シート送り機構７２から送り出されるシート１１０の表面と直交する方向（図１５では、矢印Ａ４方向）に進退可能に、前記シート送り機構７２の下流側に配置されている。クランク機構７４２は、測長用ローラ７２２の回転量に基づいて垂直方向に往復動するクランクロッド７４２ａによって、カッター刃７４１をシート１１０の走行位置に進退させて、シート送り機構７２により繰り出されるシート１１０を所定の長さに切断する。
【００７６】
離型紙リール駆動軸７５は、装置本体７のスタンド取付部７１に装備されている。この離型紙リール駆動軸７５は、図１０（ｂ）に示すように、スタンド取付部７１に取り付けられたリールスタンド６上の第２リール支持軸６４１が結合位置Ｐ２に移動したときに第２リール支持軸６４１の自由端６４１ａと結合状態となる。第２リール支持軸６４１に結合状態となった離型紙リール駆動軸７５は、図示しない駆動機構から伝達される回転力で、第２リール支持軸６４１を回転駆動可能である。
【００７７】
離型紙リール駆動軸７５は、シート送り機構７２によって送り出されたシート１１０上の離型紙１１３が離型紙用リール５に逐次巻き取られるように、シート送り機構７２の送りローラ７２１と連動して、リールスタンド６上の離型紙用リール５を回転駆動する。
【００７８】
また、図示はしていないが、本実施形態において離型紙リール駆動軸７５を駆動する機構には、離型紙リール駆動軸７５の駆動トルクを規定値以内に制限するトルクリミッターが備えられていて、駆動トルクが既定値を超えないように離型紙リール駆動軸７５の回転速度が制御される。
【００７９】
以上に説明した本実施形態のシート切断装置１の場合、リールスタンド６は、装置本体７のスタンド取付部７１に取り付けた際には、当該リールスタンド６にセットされているシート用リール４から引き出されたシート１１０の先端が、シート先端支持部材６５によって、装置本体７側のシート送り機構７２に渡される。そのため、リールスタンド６を装置本体７のスタンド取付部７１に取り付けると、直ぐに、シート１１０を所定の長さずつ繰り出して切断する作業が可能になる。
【００８０】
また、リールスタンド６は、シート送り機構７２が繰り出すシート１１０の先端から剥がした離型紙１１３を巻き取る離型紙用リール５を備えている。そして、リールスタンド６に装備されている離型紙用リール５は、リールスタンド６を装置本体７のスタンド取付部７１に取り付けると、装置本体７の離型紙リール駆動軸７５により駆動可能になり、シート送り機構７２によるシート１１０の繰り出し処理に連動して離型紙１１３の巻き取りが可能になる。
【００８１】
即ち、本実施形態のシート切断装置１によれば、リールスタンド６を装置本体７のスタンド取付部７１に取り付けると、直ちに、リールスタンド６上のシート用リール４からシート１１０を繰り出して所定長に切断する作業や、シート１１０から剥がした離型紙１１３を離型紙用リール５に巻き取る作業が可能になる。
【００８２】
また、スタンド取付部７１とリールスタンド６との間には、リールスタンド６をスタンド取付部７１に取り付ける際に、簡単に且つ正確にリールスタンド６を位置決めすることができてリールスタンド６の交換を容易にするスタンド位置決め機構８が備えられている。
【００８３】
従って、本実施形態のシート切断装置１では、予め、シート１１０を巻回したシート用リール４が組み付けられると共に、シート用リール４から引き出したシート１１０の先端から剥がした離型紙１１３を離型紙用リール５に固定した予備のリールスタンド６を用意しておき、リールスタンド６上のシート１１０を使い切った場合には、シート切断装置１の運転を停止させて、リールスタンド６ごと予備のリールスタンド６と交換すると、交換時に手間のかかる剥離紙誘導作業が不要で、直ちに、シート切断装置１の運転再開が可能になる。
【００８４】
従って、シート１１０を補充する際の作業時間を短縮して、装置の稼働率を高めることができる。
【００８５】
また、本実施形態のシート切断装置１では、スタンド位置決め機構８は、リールスタンド６の底部の２本の位置決め用ロッド６６ａ，６６ｂと、スタンド取付部７１に突設される略直方体状の位置決め用ブロック７６と、で構成される単純な構成である。そして、位置決め用ブロック７６と２本の位置決め用ロッド６６ａ，６６ｂとの嵌合精度、及び位置決めピン７２４と位置決め穴６５５との嵌合精度を高めることで、リールスタンド６の位置決め精度を向上させることができる。従って、リールスタンド６の高精度な位置決めを、安価に実現することができる。
【００８６】
また、本実施形態のシート切断装置１では、シート１１０の繰り出し動作の際に、測長用ローラ７２２の回転量と測長用ローラ７２２の周長とを積算する単純な演算処理で、シート１１０の繰り出し長を正確に検知することができ、シート１１０を所定の長さに切断する処理の信頼性を向上させることができる。
【００８７】
また、本実施形態のシート切断装置１では、リールスタンド６をスタンド取付部７１に取り付ける際には、リールスタンド６の軸移動機構６４３によって、第２リール支持軸６４１の自由端６４１ａを待機位置Ｐ１に位置させておくことで、取り付け時に第２リール支持軸６４１の自由端６４１ａが装置本体７の離型紙リール駆動軸７５に干渉することがなく、安全にリールスタンド６をスタンド取付部７１に取り付けることができる。
【００８８】
そして、リールスタンド６をスタンド取付部７１に取り付けた後、リールスタンド６の軸移動機構６４３によって、第２リール支持軸６４１の自由端６４１ａを結合位置Ｐ２に移動させると、第２リール支持軸６４１が離型紙リール駆動軸７５に結合されて、シート１１０の繰り出し動作に連動する離型紙１１３の巻き取り動作が可能になる。
【００８９】
即ち、リールスタンド６をスタンド取付部７１に取り付けた際に、軸移動機構６４３によって、第２リール支持軸６４１の自由端６４１ａを待機位置Ｐ１から結合位置Ｐ２に切り替えるという簡単な操作を行うだけで、離型紙用リール５による離型紙１１３の巻き取りが可能になり、リールスタンド６をスタンド取付部７１に取り付けた際に必要な操作が簡便で済み、装置の運転再開を早めることができる。
【００９０】
また、本実施形態のシート切断装置１では、離型紙用リール５における離型紙１１３の巻き径の増大に伴って、離型紙用リール５の一回転当たりの離型紙１１３の巻き取り長が増大する。そのため、離型紙用リール５を単純に一定回転速度で回転駆動していると、離型紙１１３の巻き径の増大に伴って巻き取り量が増大して、離型紙１１３が過大な張力で破断したり、剥離紙の無理な引っ張りによってシート１１０の送り出しに支障が生じるおそれがある。しかし、また、本実施形態のシート切断装置１では、駆動トルクが既定値を超えないように、離型紙リール駆動軸７５の回転速度がトルクリミッターによって制御されるため、離型紙１１３の巻き径が増大しても、離型紙１１３の破断やシート１１０の送り出しに支障が生じることを防止することができ、シート１１０の繰り出し動作や離型紙１１３の巻き取り動作の信頼性を向上させることができる。
【００９１】
また、本実施形態のシート切断装置１では、シート１１０の繰り出し長が所定の長さに達する度に、カッター刃７４１をシート１１０の走行位置に進出させて、シート１１０を所定の長さに切断することができる。
【００９２】
また、本実施形態のシート切断装置１では、リールスタンド６上の離型紙用リール５に巻き取られる離型紙１１３は、離型紙経路設定部材６８ａによって離型紙用リール５に至る経路が設定されている。そのため、離型紙経路設定部材６８ａによって設定されている経路に光を照射すると、離型紙１１３が経路に残っている場合には、照射した光が所定位置に反射される。従って、反射光の有無によって、離型紙１１３の切れを確実に検知することができる。
【００９３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、本発明の切断対象となるシートは、ビニールシートに限らない。
【００９４】
ここで、上述した本発明に係るシート切断装置の実施形態の特徴をそれぞれ以下［１］〜［７］に簡潔に纏めて列記する。
【００９５】
［１］  片面の一側縁に沿って粘着層（１１２）が形成されると共に前記粘着層（１１２）には離型紙（１１３）が貼付された帯状のシート（１１０）を巻回したシート用リール（４）と、
前記シート（１１０）から剥離した前記離型紙（１１３）を巻き取るための離型紙用リール（５）と、
前記シート用リール（４）を回転可能に支持する第１リール支持部（６３）と、前記離型紙用リール（５）を回転可能に支持する第２リール支持部（６４）と、を有するリールスタンド（６）と、
前記リールスタンド（６）を着脱可能なスタンド取付部（７１）と、該スタンド取付部（７１）に取り付けられた前記リールスタンド（６）上の前記シート用リール（４）から前記シート（１１０）を繰り出すシート送り機構（７２）と、前記シート送り機構（７２）により繰り出される前記シート（１１０）を所定の長さに切断するシート切断機構（７４）と、前記シート送り機構（７２）によって送り出された前記シート（１１０）上の前記離型紙（１１３）が前記離型紙用リール（５）に逐次巻き取られるように前記シート送り機構（７２）に連動して前記リールスタンド（６）上の前記離型紙用リール（５）を回転駆動する離型紙リール駆動軸（７５）と、を具備した装置本体（７）と、
を備えるシート切断装置（１）であって、
前記リールスタンド（６）は、前記第１リール支持部（６３）に取り付けられた前記シート用リール（４）に巻回されている前記シート（１１０）の先端を支持すると共に前記リールスタンド（６）を前記スタンド取付部（７１）に取り付けた際に支持している前記シート（１１０）の先端を前記シート送り機構（７２）に渡すシート先端支持部材（６５）を備え、
前記スタンド取付部（７１）と前記リールスタンド（６）との間には、前記リールスタンド（６）を前記スタンド取付部（７１）に取り付ける際に、簡単に且つ正確に前記リールスタンド（６）を位置決めすることができて前記リールスタンド（６）の交換を容易にするスタンド位置決め機構（８）を備えたことを特徴とするシート切断装置（１）。
【００９６】
［２］  前記スタンド位置決め機構（８）は、前記リールスタンド（６）の底部に架設された２本の位置決め用ロッド（６６ａ，６６ｂ）と、前記スタンド取付部（７１）に突設されて前記リールスタンド（６）を前記スタンド取付部（７１）に載せたときに前記２本の位置決め用ロッド（６６ａ，６６ｂ）が形成する隙間の片側に嵌合する略直方体状の位置決め用ブロック（７６）と、
前記シート送り機構（７２）に設けられた位置決めピン（７２４）と、前記シート先端支持部材（６５）に設けられた位置決め穴（６５５）と、
を備え
２本の前記位置決め用ロッド（６６ａ，６６ｂ）間への前記位置決め用ブロック（７６）の嵌合、及び前記位置決めピン（７２４）と前記位置決め穴（６５５）との嵌合によって、前記リールスタンド（６）を位置決めすることを特徴とする上記［１］に記載のシート切断装置（１）。
【００９７】
［３］  前記シート送り機構（７２）は、前記シート（１１０）の片面に当接した状態で回転駆動されることで前記シート（１１０）を送り出す送りローラ（７２１）と、前記シート（１１０）の片面に当接して前記シート（１１０）の走行に追従して回転する測長用ローラ（７２２）と、を備え、
前記測長用ローラ（７２２）の回転量から前記シート（１１０）の繰り出し長が検知されることを特徴とする上記［１］又は［２］に記載のシート切断装置（１）。
【００９８】
［４］  前記第２リール支持部（６４）は、前記離型紙用リール（５）の中心を挿通して前記離型紙用リール（５）と一体に回転する第２リール支持軸（６４１）と、該第２リール支持軸（６４１）の一端を回転自在に支持する軸受け部（６４２）と、前記軸受け部（６４２）に支持された前記第２リール支持軸（６４１）の自由端（６４１ａ）を待機位置（Ｐ１）と該待機位置（Ｐ１）から軸方向に規定長だけ離間した結合位置（Ｐ２）とに位置切り替え可能にする軸移動機構（６４３）と、を備え、
前記装置本体（７）の前記スタンド取付部（７１）には、前記スタンド取付部（７１）に取り付けられた前記リールスタンド（６）上の前記第２リール支持軸（６４１）が前記結合位置（Ｐ２）に移動したときに前記第２リール支持軸（６４１）の自由端（６４１ａ）と結合状態となって、前記第２リール支持軸（６４１）を回転駆動可能な離型紙リール駆動軸（７５）を備え、
前記離型紙リール駆動軸（７５）は、前記送りローラ（７２１）と連動して駆動される、
ことを特徴とする上記［３］に記載のシート切断装置（１）。
【００９９】
［５］  前記離型紙リール駆動軸（７５）を駆動する機構には、前記離型紙リール駆動軸（７５）の駆動トルクを規定値以内に制限するトルクリミッターが備えられていて、駆動トルクが既定値を超えないように前記離型紙リール駆動軸（７５）の回転速度が制御されることを特徴とする上記［４］に記載のシート切断装置（１）。
【０１００】
［６］  前記シート切断機構（７４）は、前記シート送り機構（７２）から送り出される前記シート（１１０）の表面と直交する方向に進退可能に前記シート送り機構（７２）の下流側に配置されたカッター刃（７４１）と、前記測長用ローラ（７２２）の回転量に基づいて前記カッター刃（７４１）を前記シート（１１０）の走行位置に進退させるクランク機構（７４２）と、を備えることを特徴とする上記［３］〜［５］の何れかに記載のシート切断装置（１）。
【０１０１】
［７］  前記リールスタンド（６）は、前記シート先端支持部材（６５）に支持されている前記シート（１１０）の先端から剥がして前記離型紙用リール（５）に固定された前記離型紙（１１３）の前記離型紙用リール（５）に至る経路を規制する離型紙経路設定部材（６８ａ）、を備え、
前記装置本体（７）の前記スタンド取付部（７１）には、前記スタンド取付部（７１）に取り付けられた前記リールスタンド（６）上で前記離型紙用リール（５）に巻き取られる前記離型紙（１１３）の経路に光を照射して、照射した光の反射の有無により離型紙切れを検知する離型紙切れ検知確認センサ（７１８）を備えたことを特徴とする上記［１］〜［６］の何れかに記載のシート切断装置（１）。
【符号の説明】
【０１０２】
１  シート切断装置
４  シート用リール
５  離型紙用リール
６  リールスタンド
７  装置本体
８  スタンド位置決め機構
６３  第１リール支持部
６４  第２リール支持部
６５  シート先端支持部材
６６ａ，６６ｂ  位置決め用ロッド
６８ａ  離型紙経路設定部材
７１  スタンド取付部
７２  シート送り機構
７４  シート切断機構
７５  離型紙リール駆動軸
７６  位置決め用ブロック
１１０  シート
１１２  粘着層
１１３  離型紙
６４１  第２リール支持軸
６４１ａ  自由端
６４２  軸受け部
６４３  軸移動機構
７１８  離型紙切れ検知確認センサ
７２１  送りローラ
７２２  測長用ローラ
７４１  カッター刃
７４２  クランク機構
Ｐ１   待機位置
Ｐ２  結合位置
【図１】
2015024874.tif 000003
【図２】
2015024874.tif 000004
【図３】
2015024874.tif 000005
【図４】
2015024874.tif 000006
【図５】
2015024874.tif 000007
【図６】
2015024874.tif 000008
【図７】
2015024874.tif 000009
【図８】
2015024874.tif 000010
【図９】
2015024874.tif 000011
【図１０】
2015024874.tif 000012
【図１１】
2015024874.tif 000013
【図１２】
2015024874.tif 000014
【図１３】
2015024874.tif 000015
【図１４】
2015024874.tif 000016
【図１５】
2015024874.tif 000017
【図１６】
2015024874.tif 000018
【図１７】
2015024874.tif 000019
【図１８】
2015024874.tif 000020
【図１９】
2015024874.tif 000021